(57)【要約】【課題】装置サイズを大きくすることなく、且つ、高伝送効率で無接点充電を行うこと。【解決手段】充電電池を有する外装筐体２０と、外装筐体２０の表面から突出した第１の操作部材３１および第２の操作部材３２と、を備え、第１の操作部材３１の内部には、充電電池を充電するための無接点受電に用いる受電コイルが形成され、第２の操作部材３２の内部には、充電電池の電力を外部に供給するための無接点給電に用いる給電コイルが形成され、第１の操作部材３１および第２の操作部材３２は、外装筐体２０の同一平面上に、該平面の中心線２０ｃに関して線対称で配置されている。【選択図】図３
2010008676.tif 000002
【特許請求の範囲】
【請求項１】
充電電池を有する外装筐体と、
前記外装筐体の表面から突出した第１の操作部材および第２の操作部材と、
を備え、
前記第１の操作部材の内部には、前記充電電池を充電するための無接点受電に用いる受電コイルが形成され、
前記第２の操作部材の内部には、前記充電電池の電力を外部に供給するための無接点給電に用いる給電コイルが形成され、
前記第１の操作部材および前記第２の操作部材は、前記外装筐体の同一平面上に、該平面の中心線に関して線対称で配置されていることを特徴とする携帯装置。
【請求項２】
前記操作部材は配置面に沿った断面が円形状であり、前記操作部材内に前記コイルが円形状に巻かれて形成されていることを特徴とする請求項１に記載の携帯装置。
【請求項３】
請求項１または２に記載の携帯装置に、被写体を撮影する撮影手段を設けたことを特徴とする撮影装置。
【請求項４】
撮影レンズおよび充電電池を収納する本体と、
前記本体に対してスライドすることにより前記撮影レンズの非露出状態および露出状態を切り換えるレンズカバーと、
を備え、
前記充電電池を充電するための無接点受電に用いる受電コイルおよび前記充電電池の電力を外部に供給するための無接点給電に用いる給電コイルのうち少なくとも一方のコイルが、前記レンズカバーと、前記本体のうち前記撮影レンズが非露出状態のときに前記レンズカバーにより覆われる一方で前記撮影レンズが露出状態のときに露出する部分とに、配設されていることを特徴とする撮影装置。
【請求項５】
撮影レンズおよび充電電池を収納する本体と、
前記本体に対してスライドすることにより前記撮影レンズの非露出状態および露出状態を切り換えるレンズカバーと、
を備え、
前記充電電池を充電するための無接点受電に用いる受電コイルおよび前記充電電池の電力を外部に供給するための無接点給電に用いる給電コイルが、前記レンズカバーに配設されていることを特徴とする撮影装置。
【請求項６】
充電電池を収納する外装筐体と、
撮影時に少なくとも端部が露出する撮影レンズと、
前記撮影レンズの外周に配設され、前記外装筐体から突出した外枠と、
を備え、
前記外枠には、前記充電電池を充電するための無接点受電に用いる受電コイルおよび前記充電電池の電力を外部に供給するための無接点給電に用いる給電コイルのうち少なくとも一方のコイルが、前記撮影レンズの外形形状に沿って円形状に巻かれて配設されていることを特徴とする撮影装置。
【請求項７】
充電電池を収納する外装筐体と、
前記外装筐体から突出した撮影レンズと、
前記撮影レンズの外周に配設され、前記外装筐体から突出した外枠と、
前記外枠に装着され、前記撮影レンズを保護するレンズキャップと、
前記レンズキャップと前記外装筐体とを接続する紐状のストラップと、
を備え、
前記レンズキャップには、前記充電電池を充電するための無接点受電に用いる受電コイルおよび前記充電電池の電力を外部に供給するための無接点給電に用いる給電コイルのうち少なくとも一方のコイルが配設され、前記ストラップは導電性の線材を含んで構成されていることを特徴とする撮影装置。
【請求項８】
充電電池を収納する外装筐体と、
前記外装筐体から突出した撮影レンズと、
前記撮影レンズの外周に配設され、前記外装筐体から突出した外枠と、
前記外枠に装着され、前記外枠の端部を包囲するレンズフードと、
を備え、
前記レンズフードには、前記充電電池を充電するための無接点受電に用いる受電コイルおよび前記充電電池の電力を外部に供給するための無接点給電に用いる給電コイルのうち少なくとも一方のコイルが、前記レンズフードの内周形状に沿って円形状に巻かれて配置されていることを特徴とする撮影装置。
【請求項９】
充電電池を収納する外装筐体と、
前記外装筐体に配設され、三脚が取り付けられる三脚穴と、
を備え、
前記三脚穴には、前記充電電池を充電するための無接点受電に用いる受電コイルおよび前記充電電池の電力を外部に供給するための無接点給電に用いる給電コイルのうち少なくとも一方のコイルが、前記三脚穴の穴形状に沿って円形状に巻かれて配置されていることを特徴とする撮影装置。
【請求項１０】
前記給電コイルおよび前記受電コイルの両方を備えたことを特徴とする請求項４、６、７、８、９のうちいずれか１項に記載の撮影装置。
【請求項１１】
充電電池を収納する外装筐体と、
前記外装筐体から引き出し自在の紐状のストラップと、
前記外装筐体内に設けられ、前記外装筐体から引き出された前記ストラップを円形状にして巻き込んで収納するストラップ収納部と、
を備え、
前記ストラップは、導電性の線材を含んで構成され、前記充電電池を充電するための無接点受電に用いる受電コイルおよび前記充電電池の電力を外部に供給するための無接点給電に用いる給電コイルのうち少なくとも一方のコイルとして用いられることを特徴とする携帯装置。
【請求項１２】
請求項１１に記載の携帯装置に、被写体を撮影する撮影手段を設けたことを特徴とする撮影装置。
【発明の詳細な説明】
【技術分野】
【０００１】
本発明は、装置サイズを大きくすることなく高伝送効率で無接点充電を行うことができる携帯装置および撮影装置に関する。
【背景技術】
【０００２】
無接点充電が可能な撮影装置が知られている。
【０００３】
特許文献１には、カメラの外装筐体と充電電池の収納室との間に受電コイルを配置した構成が開示されている。
【０００４】
特許文献２には、レンズキャップには給電コイルを設け、カメラに着脱自在に配置されるマウント型のレンズには受電コイルを設けて、レンズキャップからレンズに対して無接点で給電する構成が開示されている。
【０００５】
特許文献３には、カメラに着脱自在に配置されるマウント型のレンズには給電コイルを設け、カメラ本体には受電コイルを設けて、レンズからカメラ本体に対して無接点で給電する構成が開示されている。コイルは、カメラ本体とレンズとが結合されるマウント部に、互いに対向して配置されている。
【０００６】
特許文献４には、三脚穴を挟んで受電コネクタと受電コイルとが同一面に配置された構成が開示されている。
【０００７】
特許文献５には、レンズバリアの内部に、受電コイルを設けた構成が開示されている。
【０００８】
特許文献６には、カメラの充電電池の充電が接触方式で行われているのか非接触方式で行われているのかをディスプレイに表示する構成が開示されている。
【０００９】
特許文献７には、電池蓋の内部に、受電コイルを設けた構成が開示されている。
【００１０】
特許文献８には、カメラの防水ケースに受電コイルを設け、クレードルで発生した磁力線を防水ケースが受信し、直流電流に変換してカメラの充電電池に供給する構成が開示されている。
【００１１】
また、特許文献９には、カメラ本体に電源を供給するバッテリーが、レンズカバーに内蔵されている構成が開示されている。
【特許文献１】特開２００３−１２５５４５号公報
【特許文献２】特開平９−９０４６４号公報
【特許文献３】特開平９−９０４６３号公報
【特許文献４】特開２００３−１８９１４６号公報
【特許文献５】特開２００３―１２５２５２号公報
【特許文献６】特開２００３−１３４６９９号公報
【特許文献７】特開２００３−１２５５４４号公報
【特許文献８】特開２００７−１２９７９１号公報
【特許文献９】特開２００４−１８４７１３号公報
【発明の開示】
【発明が解決しようとする課題】
【００１２】
外装筐体の内部に無接点充電用のコイルを配設した場合、外観上の品位を保つことは可能だが、給電装置と撮影装置とのコイル間距離がどうしても大きくなるので、電力の伝送効率が低くなる。
【００１３】
また、外装筐体には、既に各種の部品が配設されているだけでなく、装置の小型化、表示画面の大型化などの要求を満たすため、無接点充電用のコイルを新たに配置する場所がないという課題もある。
【００１４】
特許文献１〜９には、装置サイズを大きくすることなく、且つ、高伝送効率で無接点充電を行うための具体的な構成について、記載が無い。
【００１５】
特許文献１に記載の構成は、外装筐体の内部に無接点充電用のコイルが配設されているので、前述のように電力の伝送効率が低くなる。
【００１６】
特許文献２に記載の構成は、カメラに着脱自在に配置されるマウント型のレンズに対してレンズキャップから無接点給電する構成であり、コンパクトタイプのカメラや、いわゆるネオ一眼レフカメラのように、外装筐体とレンズとが一体になった非マウント型のレンズを備えたカメラには適用できない。
【００１７】
特許文献３には、カメラ本体とレンズとが結合されるマウント部がコイルの設置場所として記載されているが、非マウント型のレンズを備えたカメラには適用できない。また、マウント部以外にコイルを配置する場合について、記載が無い。
【００１８】
特許文献４に記載の構成では、三脚穴を挟んでコイルを設置するため、その分余計に場所を取ってしまう。
【００１９】
特許文献５に記は、レンズバリアの内部に受電コイルが設けられているので、外装筐体の内部に受電コイルを設けた場合と同様、電力の伝送効率が低くなってしまう。また、受電コイル（２次コイル）のみではなく、給電コイル（１次コイル）も具備することについて、記載がない。
【００２０】
特許文献６は、表示に関するものであり、高伝送効率で無接点充電が可能な構成について、記載が無い。
【００２１】
特許文献７に記載の構成は、コイルの設置場所が電池蓋の内部に限定される。
【００２２】
特許文献８に記載の構成は、防災ケースが無ければ無接点充電することができず、カメラ単体では無接点充電できない。
【００２３】
特許文献９に記載の構成は、レンズカバー内にバッテリーが内蔵されているだけで、無接点充電はできない。
【００２４】
本発明はこのような事情に鑑みてなされたもので、装置サイズを大きくすることなく、且つ、高伝送効率で無接点充電を行うことができる携帯装置および撮影装置を提供することを目的とする。
【課題を解決するための手段】
【００２５】
前記目的を達成するために、請求項１に記載の本発明は、充電電池を有する外装筐体と、前記外装筐体の表面から突出した第１の操作部材および第２の操作部材と、を備え、前記第１の操作部材の内部には、前記充電電池を充電するための無接点受電に用いる受電コイルが形成され、前記第２の操作部材の内部には、前記充電電池の電力を外部に供給するための無接点給電に用いる給電コイルが形成され、前記第１の操作部材および前記第２の操作部材は、前記外装筐体の同一平面上に、該平面の中心線に関して線対称で配置されていることを特徴とする携帯装置を提供する。
【００２６】
この発明によれば、操作部材を有効利用してコイルを配設したので、コイル用のスペースを新たに作り出す必要がなく、装置サイズを大きくすることなく小型のまま維持できる。また、操作部材は外装筐体の表面から突出しているので、無接点充電時に給電側と受電側とのコイル間距離を小さくすることが可能であり、無接点充電時の電力の伝送効率を向上させることができる。また、外装筐体が金属製であっても、操作部材は外装筐体から突出しているので、操作部材を非金属製にすることで、容易に、金属に因る発熱の防止および金属検知機能の回避を容易に図ることが可能である。また、充電コイルおよび給電コイルの両方を有することで、本携帯装置同士での無接点受電および無接点給電の両方が可能であるとともに、本携帯装置同士で無接点充電を行う場合、外装筐体のうち操作部材が配置されている平面の縁同士を位置合わせすることにより、本携帯装置間のコイル同士を容易に位置合わせすることができる。
【００２７】
請求項２に記載の発明は、請求項１に記載の発明において、前記操作部材は配置面に沿った断面が円形状であり、前記操作部材内に前記コイルが円形状に巻かれて形成されていることを特徴とする携帯装置を提供する。
【００２８】
この発明によれば、円形状の操作部材により操作性を確保しつつ、円形状の巻き形状を有するコイルにより電力の伝送効率を向上させることができる。
【００２９】
請求項３に記載の発明は、請求項１または２に記載の携帯装置に、被写体を撮影する撮影手段を設けたことを特徴とする撮影装置を提供する。
【００３０】
請求項４に記載の発明は、撮影レンズおよび充電電池を収納する本体と、前記本体に対してスライドすることにより前記撮影レンズの非露出状態および露出状態を切り換えるレンズカバーと、を備え、前記充電電池を充電するための無接点受電に用いる受電コイルおよび前記充電電池の電力を外部に供給するための無接点給電に用いる給電コイルのうち少なくとも一方のコイルが、前記レンズカバーと、前記本体のうち前記撮影レンズが非露出状態のときに前記レンズカバーにより覆われる一方で前記撮影レンズが露出状態のときに露出する部分とに、配設されていることを特徴とする撮影装置を提供する。
【００３１】
この発明によれば、レンズカバーとレンズカバーにより覆われる部分とを有効利用してコイルを配設したので、コイル用のスペースを新たに作り出す必要がなく、装置サイズを大きくすることなく小型のまま維持できる。また、レンズカバーが開いた状態ではコイルの設置可能面積が広いので、レンズカバーと本体とにコイルを配置することで、コイルの数や大きさを容易に増やすことができ、無接点充電時の電力の伝送効率を向上させることができる。
【００３２】
請求項５に記載の発明は、撮影レンズおよび充電電池を収納する本体と、前記本体に対してスライドすることにより前記撮影レンズの非露出状態および露出状態を切り換えるレンズカバーと、を備え、前記充電電池を充電するための無接点受電に用いる受電コイルおよび前記充電電池の電力を外部に供給するための無接点給電に用いる給電コイルが、前記レンズカバーに配設されていることを特徴とする撮影装置を提供する。
【００３３】
この発明によれば、レンズカバーを有効利用してコイルを配設したので、コイル用のスペースを新たに作り出す必要がなく、装置サイズを大きくすることなく小型のまま維持できる。また、充電コイルおよび給電コイルの両方を有することで、本撮影装置同士での無接点受電および無接点給電の両方が可能になる。また、レンズカバーに複数のコイルを配設することで、電力の伝送効率を向上させることが可能である。
【００３４】
請求項６に記載の発明は、充電電池を収納する外装筐体と、撮影時に少なくとも端部が露出する撮影レンズと、前記撮影レンズの外周に配設され、前記外装筐体から突出した外枠と、を備え、前記外枠には、前記充電電池を充電するための無接点受電に用いる受電コイルおよび前記充電電池の電力を外部に供給するための無接点給電に用いる給電コイルのうち少なくとも一方のコイルが、前記撮影レンズの外形形状に沿って円形状に巻かれて配設されていることを特徴とする撮影装置を提供する。
【００３５】
この発明によれば、撮影レンズの外枠を有効利用してコイルを配設したので、コイル用のスペースを新たに作り出す必要がなく、装置サイズを大きくすることなく小型のまま維持できる。また、撮影レンズの外枠は外装筐体から突出しているので、無接点充電時に給電側と受電側とのコイル間距離を小さくすることが可能であり、無接点充電時の電力の伝送効率を向上させることができる。また、外装筐体が金属製であっても、撮影レンズの外枠は外装筐体から突出しており、撮影レンズの外枠を非金属製にすることで、容易に、金属に因る発熱の防止および金属検知機能の作動の回避を図ることが可能である。
【００３６】
請求項７に記載の発明は、充電電池を収納する外装筐体と、前記外装筐体から突出した撮影レンズと、前記撮影レンズの外周に配設され、前記外装筐体から突出した外枠と、前記外枠に装着され、前記撮影レンズを保護するレンズキャップと、前記レンズキャップと前記外装筐体とを接続する紐状のストラップと、を備え、前記レンズキャップには、前記充電電池を充電するための無接点受電に用いる受電コイルおよび前記充電電池の電力を外部に供給するための無接点給電に用いる給電コイルのうち少なくとも一方のコイルが配設され、前記ストラップは導電性の線材を含んで構成されていることを特徴とする撮影装置を提供する。
【００３７】
この発明によれば、レンズキャップを有効利用してコイルを配設したので、コイル用のスペースを新たに作り出す必要がなく、装置サイズを大きくすることなく小型のまま維持できる。また、レンズキャップを装着したままで、あるいは、レンズキャップを外して無接点充電の相手側装置のコイルに近接させることで、無接点充電時に給電側と受電側とのコイル間距離を小さくすることが可能であり、無接点充電時の電力の伝送効率を向上させることができる。また、外装筐体が金属製であっても、レンズキャップは外装筐体の外側に位置するので、レンズキャップを非金属性にすることで、容易に、金属に因る発熱の防止および金属検知機能の回避を図ることが可能である。
【００３８】
請求項８に記載の発明は、充電電池を収納する外装筐体と、前記外装筐体から突出した撮影レンズと、前記撮影レンズの外周に配設され、前記外装筐体から突出した外枠と、前記外枠に装着され、前記外枠の端部を包囲するレンズフードと、を備え、前記レンズフードには、前記充電電池を充電するための無接点受電に用いる受電コイルおよび前記充電電池の電力を外部に供給するための無接点給電に用いる給電コイルのうち少なくとも一方のコイルが、前記レンズフードの内周形状に沿って円形状に巻かれて配置されていることを特徴とする撮影装置を提供する。
【００３９】
この発明によれば、レンズフードを有効利用してコイルを配設したので、コイル用のスペースを新たに作り出す必要がなく、装置サイズを大きくすることなく小型のまま維持できる。また、レンズフードは外装筐体の外側なので、無接点充電時に給電側と受電側とのコイル間距離を小さくすることが可能であり、無接点充電時の電力の伝送効率を向上させることができる。また、外装筐体が金属製であっても、レンズフードは外装筐体の外側に位置するので、レンズフードを非金属製にすることにより、容易に、金属に因る発熱の防止および金属検知機能の作動の回避を図ることが可能である。
【００４０】
請求項９に記載の発明は、充電電池を収納する外装筐体と、前記外装筐体に配設され、三脚が取り付けられる三脚穴と、を備え、前記三脚穴には、前記充電電池を充電するための無接点受電に用いる受電コイルおよび前記充電電池の電力を外部に供給するための無接点給電に用いる給電コイルのうち少なくとも一方のコイルが、前記三脚穴の穴形状に沿って円形状に巻かれて配置されていることを特徴とする撮影装置を提供する。
【００４１】
この発明によれば、三脚穴を有効利用してコイルを配設したので、コイル用のスペースを新たに作り出す必要がなく、装置サイズを大きくすることなく小型のまま維持できる。また、三脚穴は露出しているので、無接点充電時に給電側と受電側とのコイル間距離を小さくすることが可能であり、無接点充電時の電力の伝送効率を向上させることができる。また、外装筐体が金属製であっても、三脚穴は外装筐体に露出しているので、三脚穴を非金属製にすることにより、容易に、金属に因る発熱の防止および金属検知機能の作動の回避を図ることが可能である。
【００４２】
請求項１０に記載の発明は、請求項４、６、７、８、９のうちいずれか１項に記載の発明において、前記給電コイルおよび前記受電コイルの両方を備えたことを特徴とする撮影装置を提供する。
【００４３】
この発明によれば、充電コイルおよび給電コイルの両方を有することで、本撮影装置同士で無接点受電および無接点給電の両方が可能になる。
【００４４】
請求項１１に記載の発明は、充電電池を収納する外装筐体と、前記外装筐体から引き出し自在の紐状のストラップと、前記外装筐体内に設けられ、前記外装筐体から引き出された前記ストラップを円形状にして巻き込んで収納するストラップ収納部と、を備え、前記ストラップは、導電性の線材を含んで構成され、前記充電電池を充電するための無接点受電に用いる受電コイルおよび前記充電電池の電力を外部に供給するための無接点給電に用いる給電コイルのうち少なくとも一方のコイルとして用いられることを特徴とする携帯装置を提供する。
【００４５】
この発明によれば、ストラップ収納部を既に備えた撮影装置では、コイル用のスペースを新たに作り出す必要がなく、装置サイズを大きくすることなく小型のまま維持できる。また、ストラップは、その用途上、巻き込み可能な長さが大きいので、無接点充電用のコイルとして兼用することで、コイルの巻数が大きくなり、無接点充電時の電力の伝送効率を向上させることができる。
【００４６】
請求項１２に記載の発明は、請求項１１に記載の携帯装置に、被写体を撮影する撮影手段を設けたことを特徴とする撮影装置を提供する。
【発明の効果】
【００４７】
本発明によれば、装置サイズを大きくすることなく、且つ、高伝送効率で無接点充電を行うことができる。
【発明を実施するための最良の形態】
【００４８】
以下、添付図面に従って、本発明の実施形態について、詳細に説明する。
【００４９】
図１は、本発明を適用した無接点給電システムの一例を示すブロック図である。
【００５０】
図１において、本例の無接点給電システムは、電子カメラ１００および給電装置２００により構成されている。
【００５１】
電子カメラ１００は、受電コイル５４、ＣＰＵ（Central Processing Unit）１０１、撮影レンズ１０２、撮像素子１０３、撮像処理部１０４、ＤＲＡＭ（Dynamic Random Access Memory）１０５、画像処理部１０６、ＥＥＰＲＯＭ１０７、メモリカード１０８、ＵＳＢ（Universal Serial Bus）端子１１０、ＵＳＢインターフェース１１１、バス１１２、ＬＣＤ（Liquid Crystal Device）ドライバ１１３、ＬＣＤ１１４、発光部１１５、操作部１１６、電源部１１８、充電電池１１９、充電部１２０、および、近距離無線通信部１２２を含んで構成されている。
【００５２】
ＣＰＵ１０１は、プログラムに従い、電子カメラ１００全体の制御を行う。
【００５３】
撮影レンズ１０２は、被写体像を撮像素子１０３の受光面に結像させる。撮像素子１０３は、被写体像を光電変換してアナログの画像信号を出力する。撮像処理部１０４は、相関二重サンプリング、自動利得制御などのアナログ信号処理、および、アナログ／デジタル変換処理を行う。撮像処理部１０４から出力されたデジタルの画像データは、ＤＲＡＭ１０５に一時的に記憶される。画像処理部１０６は、デジタルの画像データに対して、γ補正、ホワイトバランス調整、画像圧縮または画像伸張などのデジタル信号処理を行う。
【００５４】
ＥＥＰＲＯＭ１０７は、ＣＰＵ１０１によって実行されるプログラム、後述の操作部１１６によって設定される設定情報など、各種の情報を記憶する。メモリカード１０８は、デジタルの画像データを格納するメモリであり、電子カメラ１００から着脱可能である。ＵＳＢインターフェース１１１は、ＵＳＢ１１０端子を介して、パーソナルコンピュータ等の外部装置との間で各種のデータの送受信を行うためのインターフェースである。近距離無線通信部１２２は、後述の給電装置２００との間で例えばＩＥＥＥ８０２.１５などの方式で無線通信を行うものである。
【００５５】
ＬＣＤドライバ１１３は、ＬＣＤ１１４を駆動してバス１１２を介してＤＲＡＭ１０５から取得した画像データに対応する画像をＬＣＤ１１４に表示させる。発光部１１５は、フラッシュ、ＬＥＤ等の発光素子によって構成されている。
【００５６】
操作部１１６は、ユーザによって操作される各種のスイッチ、ボタン、レンズカバーなどによって構成されている。
【００５７】
電源部１１８は、電子カメラ１００の各部に対して所定電圧に安定化された電力を供給する。充電電池１１９は、電子カメラ１００の電源となる充電可能な二次電池である。例えば、リチウムイオン電池、ニッケル水素電池、ニッカド電池などが挙げられる。
【００５８】
電子カメラ１００は、受電コイル５４および充電部１２０を有し、無接点受電によって充電電池１１９を充電する。すなわち、受電コイル５４には、後述の給電装置２００の給電コイル６４から発生する電磁波により誘導起電力が発生し、この誘導起電力は充電部１２０によって整流され、充電電池１１９に出力される。充電電池１１９は、充電部１２０から加えられる充電電流によって充電される。なお、ＣＰＵ１０１は、充電電池１１９の充電状況を監視しており、充電電池１１９が満充電されると充電を停止させる制御等を行う。
【００５９】
給電装置２００は、給電コイル６４、ＡＣ／ＤＣ変換部２０４、発振部２０６、ＵＳＢ端子２１０、ＵＳＢインターフェース２１１、ビデオインターフェース２１７、ビデオ端子２１８、および、近距離無線通信部２２２を含んで構成されている。
【００６０】
ＡＣ／ＤＣ変換部２０４は、電源コード２０２を介して供給される交流の電圧を直流に整流し、安定化して、所定電圧の直流電流を発振部２０６に供給する。発振部２０６は、ＡＣ／ＤＣ変換部２０４から入力される直流電流を電源として数１０ＫＨｚ〜数１００ＫＨｚの周波数で給電コイル６４を励磁し、給電コイル６４から無接点給電用の電磁波を発生させる。
【００６１】
近距離無線通信部２２２は、電子カメラ１００との間で例えばＩＥＥＥ８０２.１５などの方式で無線通信を行うものである。
【００６２】
ＵＳＢインターフェース２１１は、電子カメラ１００から近距離無線通信により送られてくる画像データを、ＵＳＢ２１０端子を介して、パーソナルコンピュータ等の外部装置との間で各種のデータの送受信を行うものである。ビデオインターフェース２１７は、電子カメラ１００から近距離無線通信により送られてくる画像データをビデオ信号に変換して、ビデオ端子２１８を介して、テレビジョン等の外部装置に送信するものである。
【００６３】
図１の電子カメラ１００に対して無接点給電機能を追加した構成を図２に示す。図２において、電子カメラ１００は、給電コイル６４および発振部１２６を有し、無接点給電および無接点受電の両方が可能である。無接点給電では、電子カメラ１００の充電電池１１９の電力を、外部装置（例えば他の電子カメラ）に無接点で給電する。電子カメラ１００の発振部１２６は、電源部１１８から入力される直流電流を電源として数１０ＫＨｚ〜数１００ＫＨｚの周波数で給電コイル６４を励磁し、給電コイル６４から無接点給電用の電磁波を発生させる。
【００６４】
以下では、図１または図２に示した電子カメラについて、各種の実施形態に分けて詳説する。
【００６５】
（第１実施形態）
図３（Ａ）は、本実施形態の一例の電子カメラ１００ａの背面図である。図３（Ｂ）は、図３（Ａ）の３Ｂ−３Ｂ線に沿った断面図である。
【００６６】
図３（Ａ）において、電子カメラ１００ａの外装筐体２０の背面には、表示画面３０、第１の円形操作部材３１、および、第２の円形操作部材３２が配設されている。
【００６７】
外装筐体２０は、本例では、金属材料により形成されている。外装筐体２０内には、本例では、図２に示した各種部品（撮影レンズ１０２、撮像素子１０３、撮像処理部１０４、充電電池１１９、充電部１２０、発振部１２６など）が収納されている。
【００６８】
円形操作部材３１、３２は、合成樹脂材料からなり、図３（Ｂ）に示すように、外装筐体２０の背面から突出している。円形操作部材３１、３２は、その配置面である外装筐体２０の背面に沿った断面が円形状である。また、第１の円形操作部材３１と第２の円形操作部材３２とは、外装筐体２０の背面における中心線２０ｃに関して線対称で配置されている。
【００６９】
第１の円形操作部材３１は、本例では、回動操作により撮影時のモード（撮影モード）を切り換えるスイッチ（「モードダイヤル」という）である。モードダイヤルにより、例えば、オートフォーカス撮影、高感度撮影、マニュアル撮影、絞り優先撮影、風景撮影、人物撮影、非発光撮影、動画撮影など、電子カメラ１００が有する各種の撮影モードを切り換える。第２の円形操作部材３２は、本例では、上下左右の四方向の押し操作により指示入力が可能なスイッチ（「十字ボタン」という）である。撮影条件の設定用などの各種のメニューを表示画面３０に表示した状態で、十字ボタンによりメニュー中の設定項目を上下方向あるいは左右方向において選択する操作が可能である。なお、外装筐体２０には、図示を省略したが、他の操作部材（例えば、電源ボタン、シャッターボタン、ズームレバー、再生ボタンなど）も配設されている。
【００７０】
図４（Ａ）は円形操作部材３１、３２の一例の平面透視図であり、その４Ｂ−４Ｂ線に沿った断面を図４（Ｂ）に示す。図４（Ａ）および（Ｂ）において、円形操作部材３１、３２の内部には、導電性材料からなるコイル５４、６４が、円形操作部材３１、３２の外形形状（円形状）に沿って、円形状に巻かれて形成されている。本例では、第１の円形操作部材３１に受電コイル５４が形成され、第２の円形操作部材３２に給電コイル６４が形成されている。
【００７１】
なお、本例の電子カメラ１００ａは、図２に示したように充電部１２０および発振部１２６の両方を備えており、充電電池１１９を充電するために外部から無接点で給電を受ける機能（無接点受電機能）、および、充電電池１１９の電力を外部に無接点で給電する機能（無接点給電機能）の両機能を有する。受電コイル５４は、充電部１２０に接続されたコイルであり、給電コイル６４は、発振部１２６に接続されたコイルである。
【００７２】
図５（Ａ）は、第１の電子カメラ１００ａ-1から第２の電子カメラ１００ａ-2に対して無接点給電する場合（あるいは第２の電子カメラ１００ａ-2から第１の電子カメラ１００ａ-1に対して無接点給電する場合）を模式的に示す長手方向の断面図である。図５（Ｂ）は、図５（Ａ）の５Ｂ−５Ｂ線に沿った断面を示す短手方向の断面図である。いずれの電子カメラ１００-1、１００-2も、２つの円形操作部材３１、３２が外装筐体２０の背面における中心線２０ｃに関して線対称にして配置されているので、２つの電子カメラ１００-1、１００-2同士を外装筐体２０の縁Ｅｇ同士で位置合わせすることにより、コイル５４、６４同士を容易に位置合わせすることができる。本例では、第１の電子カメラ１００-1の第１の円形操作部材３１内のコイル５４と第２の電子カメラ１００-2の第２の円形操作部材３２内のコイル６４とが位置合わせされるとともに、第１の電子カメラ１００-1の第２の円形操作部材３２内のコイル６４と第２の電子カメラ１００-2の第１の円形操作部材３１内のコイル５４とが位置合わせされる。
【００７３】
なお、電子カメラに無接点受電機能および無接点給電機能の両機能を実装するためには、本例のように複数のコイルのうち一方を受電コイルとして用いて他方を給電コイルとして用いる場合以外に、各コイルを受電用と給電用とに切り換える態様がある。例えば、各円形操作部材３１、３２内のコイルを図示省略の切換スイッチを介して充電部１２０および発振部１２６の両方に接続する。そして、ＣＰＵ１０１からの指示に従って、切換スイッチにより、各コイルを充電部１２０および発振部１２６のいずれに接続するかを切り換える。無接点受電時には、複数の円形操作部材３１、３２にそれぞれ形成されたコイルをいずれも受電コイル５４として用いることにより、さらに高伝送効率で無接点受電できる。また、無接点給電時には、複数の円形操作部材３１、３２にそれぞれ形成されたコイルをいずれも給電コイル６４として用いることにより、さらに高伝送効率で無接点給電できる。
【００７４】
なお、電子カメラに無接点受電機能および無接点給電機能の両機能を実装した場合を例に説明したが、無接点受電機能のみを実装してもよいことは勿論である。この場合、複数の円形操作部材３１、３２内のコイルをいずれも受電コイルとして用いることにより、さらに高伝送効率とすることができる。
【００７５】
本実施形態の電子カメラは、従来からある円形操作部材３１、３２の内部に無接点充電用のコイルを形成したので、コイル用のスペースを新たに作り出す必要がなく、装置サイズを大きくすることなく従来のまま小型に維持できる。
【００７６】
また、本実施形態の電子カメラは、外装筐体２０の表面から突出した円形操作部材３１、３２にコイルが形成されているので、無接点充電時に給電側と受電側とのコイル間距離を小さくすることが可能であり、無接点充電時の電力の伝送効率を向上させることができる。
【００７７】
また、剛性を向上させる等の目的で外装筐体２０を金属材料により形成した場合でも、外装筐体２０から突出している円形操作部材３１、３２を合成樹脂材料により形成することで、金属に因る発熱を防止できるとともに、金属検知機能にかからないようにできる。
【００７８】
また、円形操作部材３１、３２の内部にコイルが形成されているので、外観上の品位を保つことができる。
【００７９】
（第２実施形態）
図６（Ａ）〜（Ｃ）を用いて、本実施形態の一例の電子カメラ１００ｂについて、説明する。図６（Ａ）は、レンズカバー２４が閉じられた状態の電子カメラ１００ｂの外観を示す正面図である。図６（Ｂ）は、レンズカバー２４が開かれた状態の電子カメラ１００ｂの外観を示す正面図である。図６（Ｃ）は、レンズカバー２４が開かれた状態で給電装置２００から電子カメラ１００ｂに対して無接点給電している状態を示す模式図である。なお、図３（Ａ）および（Ｂ）に示した第１実施形態の構成要素と同じ構成要素には同じ符号を付してあり、既に説明した内容については、ここではその説明を省略する。
【００８０】
図６（Ａ）および（Ｂ）において、カメラ本体２２には、図１に示した各種部品（撮影レンズ１０２、撮像素子１０３、撮像処理部１０４、充電電池１１９、充電部１２０など）が収納されている。レンズカバー２４は、カメラ本体２２に対してスライド自在に取り付けられている。レンズカバー２４をカメラ本体２２に対してスライドさせる操作を行うことにより、撮影レンズ１０２の非露出状態および露出状態が切り換わる。
【００８１】
第１の受電コイル５４ａは、レンズカバー２４の内部に、配設されている。第２の受電コイル５４ｂは、カメラ本体２２の内部であって、撮影レンズ１０２が非露出状態のときにはレンズカバー２４によって覆われる一方で、撮影レンズ１０２が露出状態のときには露出する部分の内部に、配設されている。
【００８２】
カメラ本体２２およびレンズカバー２４からなる外装筐体２０は、本例では、合成樹脂材料により形成されている。
【００８３】
図６（Ａ）に示す撮影レンズ１０２の非露出状態にて、ユーザの操作によりレンズカバー２４をスライドさせると、図６（Ｂ）に示すように、カメラ本体２２のうちレンズカバー２４で覆われていた部分が露出して、撮影レンズ１０２が非露出状態から露出状態に切り換わる。このとき、レンズカバー２４に配設されている第１の受電コイル５４ａと、カメラ本体２２に配設されている第２の受電コイル５４ｂとが、電子カメラ１０の正面側にて一定間隔Ｄｃで配置される。
【００８４】
図６（Ｃ）において、給電装置２００には、複数の給電コイル６４（６４ａ、６４ｂ）が配置されている。レンズカバー２４が開かれた状態における電子カメラ１００ｂの受電コイル５４（５４ａ，５４ｂ）同士の間隔Ｄｃは、給電装置２００の給電コイル６４同士の間隔に等しい。これにより、給電コイル６４からの電磁誘導による起電力を複数の受電コイル５４で効率良く発生させることが可能であり、高伝送効率の無接点充電が行われる。
【００８５】
本実施形態の電子カメラでは、受電コイル５４をレンズカバー２４の内部とレンズカバー２４の閉状態で非露出の部分の内部とに配設して、外装筐体２０の空き部分を活かすとともに、コイルの設置可能面積を広くしているので、電子カメラ１００ｂを大きくする必要がないだけでなく、巻数が多い大きなコイルを複数配置することが可能となり、無接点充電時の電力の伝送効率をより高くすることが可能である。また、レンズカバー２４の開状態における受電コイル５４間の間隔Ｄｃを、給電装置２００の給電コイル６４間の間隔に等しくしたことにより、無接点給電時の電力の伝送効率を容易に向上させることができる。
【００８６】
なお、無接点受電のみを行う場合について説明したが、このような場合に本発明は限定されない。受電コイルだけでなく給電コイルを電子カメラに配設して、電子カメラ内の充電電池の電力を外部に供給可能な構成としてもよい。これにより、電子カメラ同士で無接点給電および無接点受電が可能となる。各コイルを受電用と給電用とで切り換える構成としてもよい。
【００８７】
（第３実施形態）
図７を用いて、本実施形態の一例の電子カメラ１００ｃについて説明する。図７は、撮影レンズカバー２４が閉じられた状態の電子カメラ１００ｃの外観を示す正面透視図である。なお、図６（Ａ）および（Ｂ）に示した構成要素と同じ構成要素には同じ符号を付してあり、既に説明した内容については、ここではその説明を省略する。
【００８８】
図７において、カメラ本体２２には、図２に示した各種部品のうち充電部１２０および発振部１２６を除くもの（撮影レンズ１０２、撮像素子１０３、撮像処理部１０４、充電電池１１９など）が収納されている。レンズカバー２４の内部には、受電コイル５４を有する無接点受電モジュール５０、および、給電コイル６４を有する無接点給電モジュール６０が、配設されている。無接点受電モジュール５０は、樹脂基板５２上に受電コイル５４を形成して構成されている。本例の無接点受電モジュール５０の裏面には、充電部（図２の１２０）が形成されている。また、無接点給電モジュール６０は、樹脂基板６２上に給電コイル６４を形成して構成されている。本例の無接点給電モジュール６０の裏面には、発振部（図２の１２６）が形成されている。
【００８９】
カメラ本体２２およびレンズカバー２４からなる外装筐体２０は、本例では、合成樹脂材料により形成されている。
【００９０】
受電コイル５４と給電コイル６４とは、レンズカバー２４の中心線２４ｃに関して線対称で配置されている。したがって、２つの電子カメラをレンズカバー２４の縁同士で位置合わせすることにより、２つの電子カメラ間のコイル（一方の電子カメラの受電コイル５４および他方の電子カメラの給電コイル６４）同士を容易に位置合わせすることができる。なお、受電コイル５４と給電コイル６４とを、レンズカバー２４閉状態における、外装筐体２０の中心線に関して線対称で配置してもよい。この場合には、２つの電子カメラを外装筐体２０の縁同士で位置合わせすることにより、２つの電子カメラ間のコイル同士を容易に位置合わせすることができる。
【００９１】
本実施形態の電子カメラ１００ｃは、レンズカバー２４の内部に受電コイル５４および給電コイル６４の両コイルが形成されているので、電子カメラ１００ｃ同士での無接点充電が可能になる。
【００９２】
また、本実施形態の電子カメラは、レンズカバー２４の内部に無接点充電用のコイルを形成したので、コイル用のスペースを新たに作り出す必要がなく、装置サイズを大きくすることなく従来のまま小型に維持できる。
【００９３】
なお、レンズカバー２４内の複数のコイルのうち一方を受電コイル５４として用いて他方を給電コイル６４として用いる場合を例に説明したが、各コイルを充電コイルとして用いるか給電コイルとして用いるかを切り換え可能に構成することにより、複数のコイルを用いた無接点受電および無接点給電が可能となり、電力の伝送効率を向上させることができる。例えば、無接点充電用のモジュール５０、６０には、それぞれ充電部（図１の１２０）および発振部（図２の１２６）の両方と切換スイッチを形成しておき、各モジュール５０、６０のコイル５４、６４を受電コイルとして用いるか給電コイルとして用いるかをＣＰＵ（図１の１０１）が切換スイッチを用いて切り換える。レンズカバー２４内に複数の受電コイルと複数の給電コイルとを配設してもよい。
【００９４】
（第４実施形態）
図８（Ａ）は、本実施形態の一例の電子カメラ１００ｄを示す正面図である。本例の電子カメラ１００ｄは、コンパクトタイプ機である。本例の電子カメラ１００ｄは、外装筐体２０と、沈胴式の撮影レンズ１０２と、撮影レンズ１０２の外周に配設され、外装筐体２０から突出したレンズ外枠８１を備える。レンズ外枠８１には、無接点充電用のコイル（本例では受電コイル５４）が撮影レンズ１０２の外形形状に沿って円形状に巻かれて配設されている。本例の撮影レンズ１０２は、外装筐体２０内に沈胴可能であり、撮影時には少なくとも端部が外装筐体２０から露出する。外装筐体２０は、金属材料により形成されている。レンズ外枠８１は、合成樹脂材料により形成されている。本例の外装筐体２０は、図１に示した各種部品（撮影レンズ１０２、撮像素子１０３、撮像処理部１０４、充電電池１１９、充電部１２０など）が収納されている。
【００９５】
図８（Ｂ）は、給電装置２００から無接点給電を受けている状態の電子カメラ１００ｄを示す側断面図である。なお、図８（Ｂ）では、給電装置２００のうち無接点給電モジュール６０のみを示している。無接点給電モジュール６０は、樹脂基板６２に給電コイル６４が形成されて構成されている。
【００９６】
図９（Ａ）は、本実施形態の他の例の電子カメラ１００ｅを示す斜視図である。本例の電子カメラ１００ｅは、筐体レンズ一体型のネオ一眼機である。本例の電子カメラ１００ｅは、外装筐体２０と、外装筐体２０から突出している撮影レンズ１０２と、撮影レンズ１０２の外周に配設され、外装筐体２０から突出したレンズ外枠８１を備える。レンズ外枠８１のうち端部８１０には、無接点充電用のコイル（本例では受電コイル５４）が撮影レンズ１０２の外形形状に沿って円形状に巻かれて配置されている。充電電池（図１の１１９）は外装筐体２０に収納されている。外装筐体２０は、金属材料により形成されている。レンズ外枠８１は、合成樹脂材料により形成されている。本例の外装筐体２０は、図１に示した各種部品（撮影レンズ１０２、撮像素子１０３、撮像処理部１０４、充電電池１１９、充電部１２０など）が収納されている。
【００９７】
図９（Ｂ）は、給電装置２００から無接点給電を受けている状態の電子カメラ１００ｅを示す斜視図である。レンズ外枠８１の端部８１０には図９（Ａ）に示した受電コイル５４が配設されており、給電装置２００の表面には給電コイル（図示省略）が配設されている。
【００９８】
本実施形態の電子カメラでは、従来からあるレンズ外枠８１に無接点充電用のコイルを形成したので、コイル用のスペースを新たに作り出す必要がなく、装置サイズを大きくすることなく従来のまま小型に維持できる。
【００９９】
また、本実施形態の電子カメラでは、外装筐体２０から突出したレンズ外枠８１にコイルが形成されているので、コイル間距離を小さくすることが可能であり、無接点充電時の電力の伝送効率を向上させることができる。
【０１００】
また、剛性を向上させる等の目的で外装筐体２０を金属材料により形成した場合でも、外装筐体２０から突出している外枠８１を合成樹脂材料により形成することで、金属に因る発熱を防止できるとともに、金属検知機能にかからないようにできる。
【０１０１】
（第５実施形態）
図１０（Ａ）は、本実施形態の一例の電子カメラ１００ｆを示す斜視図である。本例の電子カメラ１００ｆは、外装筐体２０から突出した撮影レンズ１０２と、撮影レンズ１０２の外周に配設され、外装筐体２０から突出したレンズ外枠８１と、レンズ外枠８１の端部８１０に装着されて撮影レンズ１０２を覆い保護する図１０（Ｂ）に示すレンズキャップ８２と、レンズキャップ８２と外装筐体２０とを接続する紐状のストラップ８２０を備える。外装筐体２０は、金属材料により形成されている。レンズキャップ８２は、合成樹脂材料により形成されている。本例の外装筐体２０は、図２に示した各種部品のうち充電部１２０および発振部１２６を除くもの（撮影レンズ１０２、撮像素子１０３、撮像処理部１０４、充電電池１１９など）が収納されている。
【０１０２】
図１０（Ｂ）に示すように、本例のレンズキャップ８２の裏面には、受電コイル５４を有する無接点受電モジュール５０と給電コイル６４を有する無接点給電モジュール６０とが配置され、ストラップ８２０は配線としての導電性材料を含んで構成されている。無接点受電モジュール５０には、充電部（図２の１２０）が設けられている。また、本例の無接点給電モジュール６０には、発振部（図２の１２６）が設けられている。
【０１０３】
本実施形態の電子カメラでは、従来からあるレンズキャップ８２に無接点充電用のコイルを配設したので、コイル用のスペースを新たに作り出す必要がなく、装置サイズを大きくすることなく従来のまま小型に維持できる。
【０１０４】
また、本実施形態の電子カメラでは、レンズキャップ８２にコイルが配設されているので、無接点充電時に給電側と受電側とのコイル距離を小さくすることが可能であり、無接点充電時の電力の伝送効率を向上させることができる。
【０１０５】
また、剛性を向上させる等の目的で装筐体２０を金属材料により形成した場合でも、外装筐体２０にストラップ８２０で接続されたレンズキャップ８２にコイル５４、６４が配設されているので、金属に因る発熱を防止できるとともに、金属検知機能にかからないようにすることが可能である。
【０１０６】
（第６実施形態）
本実施形態の電子カメラは、図１１に示すレンズキャップ８３を備える。また、外装筐体には、図２に示した各種部品（撮影レンズ１０２、撮像素子１０３、撮像処理部１０４、充電電池１１９、充電部１２０など）が収納されている。それ以外は、第５実施形態の電子カメラと同じであり、以下ではレンズキャップ８３についてのみ説明する。
【０１０７】
図１１において、レンズキャップ８３は、合成樹脂材料からなり、受電コイル５４が形成されている。受電コイル５４は、ストラップ８２０を介して外装筐体内の受電部（図１の１２０）に接続されている。
【０１０８】
（第７実施形態）
図１２（Ａ）および（Ｂ）を用いて、本実施形態の一例の電子カメラ１００ｇについて説明する。図１２（Ａ）はレンズフード８４の使用接続時の電子カメラ１００ｇを示す斜視図であり、図１２（Ｂ）はレンズフード８４の未使用接続時の電子カメラ１００ｇを示す斜視図である。
【０１０９】
本例の電子カメラ１００ｇは、外装筐体２０から突出した撮影レンズ１０２と、撮影レンズ１０２の外周に配設され、外装筐体２０から突出したレンズ外枠８１と、レンズ外枠８１に装着され、レンズ外枠８１の端部８１０を包囲するレンズフード８４を備える。図１２（Ａ）の使用接続時では、レンズフード８４により、撮影レンズ１０２に直接光が入らないように遮光する。図１２（Ｂ）に示す未使用接続時には、レンズフード８４を図１２（Ａ）に示す使用接続時とは向きを逆にして、レンズ外枠８１に取り付ける。なお、本例では、レンズフード８４の形状が花弁形であるが、レンズフード８４の形状は特に限定されない。
【０１１０】
外装筐体２０は、本例では、金属材料により形成されている。レンズフード８４は、本例では、合成樹脂材料により形成されている。外装筐体２０には、図１に示した各種部品（撮影レンズ１０２、撮像素子１０３、撮像処理部１０４、充電電池１１９、充電部１２０など）が収納されている。
【０１１１】
図１３（Ａ）は、レンズフード８４の端部８４０（図１２（Ｂ）の未使用接続時にはレンズ外枠８１の端部８１０の外周に位置する部分である）を示す平面図である。レンズフード８４の端部８４０には、受電コイル５４が、レンズフード８４の内周形状に沿って円形状に巻かれて配置されている。レンズフード８４の未使用接続時には、受電コイル５４は、レンズ外枠８１を介して、外装筐体２０内の充電部（図１の１２０）に接続される。
【０１１２】
図１３（Ｂ）は、給電装置２００から無接点給電を受けている状態の電子カメラ１００ｇを示す斜視図である。レンズフード８４の端部８４０には図１３（Ａ）に示した受電コイル５４が配設されており、給電装置２００の表面には給電コイル（図示省略）が配設されている。
【０１１３】
本実施形態の電子カメラでは、従来からあるレンズフード８４に無接点充電用のコイルを形成したので、コイル用のスペースを新たに作り出す必要がなく、装置サイズを大きくすることなく従来のまま小型に維持できる。
【０１１４】
また、本実施形態の電子カメラでは、レンズフード８４にコイルが形成されているので、無接点充電時に給電側と受電側とのコイル間距離を小さくすることが可能であり、無接点充電時の電力の伝送効率を向上させることができる。
【０１１５】
また、剛性を向上させる等の目的で外装筐体２０を金属材料により形成した場合でも、レンズフード８４を合成樹脂材料により形成することで、金属に因る発熱を防止できるとともに、金属検知機能にかからないようにすることが可能である。
【０１１６】
（第８実施形態）
図１４（Ａ）は、本実施形態の一例の電子カメラ１００ｈを示す正面図である。図１４（Ｂ）は、そのカメラ１００ｈの底面図である。本例の電子カメラ１００ｈは、外装筐体２０に配設され、図示省略の三脚が取り付けられる三脚穴８５を備え、三脚穴８５には、無接点充電用のコイル（本例では受電コイル５４）が、三脚穴８５の穴形状に沿って円形状に巻かれて配置されている。外装筐体２０は、金属材料により形成されている。三脚穴８５は、合成樹脂材料により形成されている。外装筐体２０には、図１に示した各種部品（撮影レンズ１０２、撮像素子１０３、撮像処理部１０４、充電電池１１９、充電部１２０など）が収納されている。
【０１１７】
本例の三脚穴８５は、三脚のネジに螺合する螺旋状の溝が形成されている螺合部８５２と、外装筐体２０の底面に露出している輪形状の端部８５４とを有し、端部８５４に受電コイル５４が形成されている。
【０１１８】
本実施形態の電子カメラでは、従来からある三脚穴８５に無接点充電用のコイルを配置したので、コイル用のスペースを新たに作り出す必要がなく、装置サイズを大きくすることなく従来のまま小型に維持できる。
【０１１９】
また、本実施形態の電子カメラでは、露出した三脚穴８５にコイルを配置しているので、無接点充電時に給電側と受電側とのコイル間距離を小さくすることができ、無接点充電時の電力の伝送効率を向上させることができる。
【０１２０】
また、剛性を向上させる等の目的で外装筐体２０を金属材料により形成した場合でも、三脚穴を合成樹脂材料で形成することにより、金属に因る発熱を防止できるとともに、金属検知機能にかからないようにすることが可能である。
【０１２１】
（第９実施形態）
図１５は、本実施形態の一例の電子カメラ１００ｉを示す正面透視図である。本例の電子カメラ１００ｉは、外装筐体２０から任意の長さに引き出し自在の紐状のストラップ８６と、外装筐体２０内に設けられ、外装筐体２０から引き出されたストラップ８６の少なくとも半分以上を円形状にして巻き込んで収納可能なストラップ収納部８７を備え、ストラップ８６は、導電性の線材を絶縁性材料で被覆して構成され、無接点充電用のコイル（本例では受電コイル５４）として用いられる。すなわち、本実施形態の電子カメラ１００ｉでは、外装筐体２０から引っ張り出されてストラップとして用いられる紐８６を、外装筐体２０の中に巻いて収納することにより無接点充電用のコイルにするストラップ収納部８７を備える。
【０１２２】
外装筐体２０は、樹脂材料により形成されている。外装筐体２０には、図１に示した各種部品（撮影レンズ１０２、撮像素子１０３、撮像処理部１０４、充電電池１１９、充電部１２０など）が収納されている。
【０１２３】
本実施形態の電子カメラでは、ストラップを本来の役割だけでなく、無接点充電用のコイルとして利用できる。
【０１２４】
なお、第２実施形態、第４実施形態、第６〜第９実施形態において、受電コイルのみを設けた場合を例に説明したが、受電コイルだけでなく給電コイルも電子カメラに配設して、電子カメラ内の充電電池の電力を外部に供給可能な構成としてもよい。これにより、電子カメラ同士で無接点給電および無接点受電が可能となる。各コイルを受電用と給電用とで切り換える構成としてもよい。
【０１２５】
また、本発明における撮影装置は、カメラ付き携帯電話などの各種の携帯装置に適用できる。
【０１２６】
本発明は、本明細書において説明した例や図面に図示された例には限定されず、本発明の要旨を逸脱しない範囲において、各種の設計変更や改良を行ってよいのはもちろんである。
【図面の簡単な説明】
【０１２７】
【図１】本発明を適用した無接点給電システムの一例を示すブロック図
【図２】無接点給電機能を有する電子カメラの一例を示すブロック図
【図３】（Ａ）は第１実施形態に係る電子カメラの一例の背面図、（Ｂ）はその電子カメラの断面図
【図４】（Ａ）はコイルを内蔵した円形操作部材の平面透視図、（Ｂ）はその円形操作部材の断面図
【図５】（Ａ）は図３の電子カメラの無接点給電時の状態を示す長手方向における断面図、（Ｂ）は短手方向における断面図
【図６】（Ａ）は第２実施形態の一例の電子カメラのレンズカバー閉状態を示す正面図、（Ｂ）はその電子カメラのレンズカバー開状態を示す正面図
【図７】第３実施形態の一例の電子カメラを示す正面図
【図８】（Ａ）は第４実施形態の一例の電子カメラを示す正面図、（Ｂ）はその電子カメラの無接点給電時の状態を示す説明図
【図９】（Ａ）は第４実施形態の他の例の電子カメラを示す斜視図、（Ｂ）はその電子カメラの無接点給電時の状態を示す説明図
【図１０】（Ａ）は第５実施形態の一例の電子カメラを示す斜視図、（Ｂ）はその電子カメラのレンズキャップを示す背面図
【図１１】第６実施形態の一例の電子カメラのレンズキャップを示す背面図
【図１２】（Ａ）は第７実施形態の一例の電子カメラのレンズフード使用接続時を示す斜視図、（Ｂ）はその電子カメラのレンズフード未使用接続時を示す斜視図
【図１３】（Ａ）は第７実施形態の一例の電子カメラのレンズフードを示す底面図、（Ｂ）はその電子カメラの無接点給電時の状態を示す説明図
【図１４】（Ａ）は第８実施形態の一例の電子カメラを示す正面図、（Ｂ）はその電子カメラを示す底面図
【図１５】は第８実施形態の一例の電子カメラを示す正面透視図、
【符号の説明】
【０１２８】
２０…外装筐体、２２…カメラ本体、２４…レンズカバー、３１、３２…円形操作部材、５４…受電コイル、６４…給電コイル、８１…レンズ外枠、８２、８３…レンズキャップ、８４…レンズフード、８５…三脚穴、８６…ストラップ、８７…ストラップ収納部、１００（１００ａ〜１００ｉ）…電子カメラ、１０１…ＣＰＵ、１０２…撮影レンズ、１０３…撮像素子、１０４…撮像処理部、１１５…発光部、１１６…操作部、１１８…電源部、１１９…充電電池、１２０…充電部、１２６、２０６…発振部、２００…給電装置
【図１】
2010008676.tif 000003
【図２】
2010008676.tif 000004
【図３】
2010008676.tif 000005
【図４】
2010008676.tif 000006
【図５】
2010008676.tif 000007
【図６】
2010008676.tif 000008
【図７】
2010008676.tif 000009
【図８】
2010008676.tif 000010
【図９】
2010008676.tif 000011
【図１０】
2010008676.tif 000012
【図１１】
2010008676.tif 000013
【図１２】
2010008676.tif 000014
【図１３】
2010008676.tif 000015
【図１４】
2010008676.tif 000016
【図１５】
2010008676.tif 000017